(57)【要約】【課題】色校正に用いられる補正データの取得処理の実行によって発生する自装置の利用が制限される期間を短縮するとともに、不適正な補正データが取得されることを回避可能な画像形成装置、及び補正データ取得方法を提供すること。【解決手段】画像形成装置１０は、シートに形成され乾燥機６１により乾燥された検査用画像から当該検査用画像の色を示す第１測定データを取得する第１取得処理部９１と、前記検査用画像及び識別画像が形成されたシートを排出する排出処理部９２と、搬送されるシートが前記識別画像を含む場合に、当該シートに形成された前記検査用画像から当該検査用画像の色を示す第２測定データを取得する第２取得処理部９３と、第２取得処理部９３によって取得される前記第２測定データ及び当該第２測定データに対応する前記第１測定データに基づいて補正データを取得する補正データ取得部９４と、を備える。【選択図】図３
2020192764.tif 000002
【特許請求の範囲】
【請求項１】
シートの搬送経路における第１位置で前記シートにインクを用いたカラー画像を形成する画像形成部と、
前記搬送経路における前記第１位置よりも前記シートの搬送方向の下流側の第２位置で前記シートに形成された画像の色を示す数値を測定する測色部と、
前記搬送経路における前記第１位置から前記第２位置までの特定区間を搬送される前記シートを乾燥させる乾燥機と、
前記搬送経路上で前記シートに形成された画像を読み取る画像読取部と、
前記画像形成部を用いて前記シートに予め定められた目標色の検査用画像を形成する第１工程、前記乾燥機を用いて前記第１工程により形成された画像を乾燥させる第２工程、及び前記測色部を用いて前記第２工程後の前記検査用画像から当該検査用画像の色を示す第１測定データを取得する第３工程を含む第１取得処理を実行する第１取得処理部と、
前記画像形成部を用いて前記シートに前記第１取得処理で形成される前記検査用画像と同じ前記検査用画像及び当該第１取得処理で取得される前記第１測定データに対応付けられる識別画像を形成する第４工程を含み、前記乾燥機を用いて前記第４工程により形成された画像を乾燥させる第５工程を含まない、又は前記第４工程により形成された画像を前記第２工程よりも緩やかに乾燥させる第６工程を更に含む排出処理を実行可能な排出処理部と、
前記画像読取部によって読み取られる前記シートの画像が前記識別画像を含む場合に、前記測色部により当該シートに含まれる前記検査用画像から測定される当該検査用画像の色を示す数値を第２測定データとして取得する第２取得処理部と、
前記第２取得処理部によって取得される前記第２測定データ及び当該第２測定データに対応する前記第１測定データに基づいて、前記第１測定データの補正に用いられる補正データを取得する補正データ取得部と、
を備える画像形成装置。
【請求項２】
前記排出処理部は、前記第１取得処理に連続するタイミングで前記排出処理を実行可能である、
請求項１に記載の画像形成装置。
【請求項３】
前記排出処理部は、前記第１取得処理の前に前記排出処理を実行可能である、
請求項２に記載の画像形成装置。
【請求項４】
前記補正データ取得部によって取得された前記補正データを前記第１取得処理で用いられた前記シートの種類に関連付けて記憶部に格納する格納処理部を備え、
前記排出処理部は、前記第１取得処理で用いられる前記シートの種類に関連付けられた前記補正データが前記記憶部に格納されていない場合に前記排出処理を実行する、
請求項２又は３に記載の画像形成装置。
【請求項５】
前記補正データ取得部は、前記第２取得処理部による前記第２測定データの取得タイミングが当該第２測定データに対応する前記検査用画像の形成時から予め定められた基準時間が経過した基準タイミング以後である場合は、当該取得タイミングで取得された前記第２測定データと当該第２測定データに対応する前記第１測定データとの差を前記補正データとして取得する、
請求項１〜４のいずれかに記載の画像形成装置。
【請求項６】
前記補正データ取得部は、前記取得タイミングが前記基準タイミングよりも前である場合は、前記基準タイミングよりも前に前記第２取得処理部によって取得された複数の前記第２測定データに基づいて前記基準タイミング以後に前記第２取得処理部によって取得される前記第２測定データを予測し、当該予測結果と当該予測結果に対応する前記第１測定データとの差を前記補正データとして取得する、
請求項５に記載の画像形成装置。
【請求項７】
シートの搬送経路における第１位置で前記シートにインクを用いたカラー画像を形成する画像形成部と、前記搬送経路における前記第１位置よりも前記シートの搬送方向の下流側の第２位置で前記シートに形成された画像の色を示す数値を測定する測色部と、前記搬送経路における前記第１位置から前記第２位置までの特定区間を搬送される前記シートを乾燥させる乾燥機と、前記搬送経路上で前記シートに形成された画像を読み取る画像読取部と、を備える画像形成装置で実行される補正データ取得方法であって、
前記画像形成部を用いて前記シートに予め定められた目標色の検査用画像を形成する第１工程、前記乾燥機を用いて前記第１工程により形成された画像を乾燥させる第２工程、及び前記測色部を用いて前記第２工程後の前記検査用画像から当該検査用画像の色を示す第１測定データを取得する第３工程を含む第１取得処理を実行することと、
前記画像形成部を用いて前記シートに前記第１取得処理で形成される前記検査用画像と同じ前記検査用画像及び当該第１取得処理で取得される前記第１測定データに対応付けられる識別画像を形成する第４工程を含み、前記乾燥機を用いて前記第４工程により形成された画像を乾燥させる第５工程を含まない、又は前記第４工程により形成された画像を前記第２工程よりも緩やかに乾燥させる第６工程を更に含む排出処理を実行可能なことと、
前記画像読取部によって読み取られる前記シートの画像が前記識別画像を含む場合に、前記測色部により当該シートに含まれる前記検査用画像から測定される当該検査用画像の色を示す数値を第２測定データとして取得することと、
取得される前記第２測定データ及び当該第２測定データに対応する前記第１測定データに基づいて、前記第１測定データの補正に用いられる補正データを取得することと、
を含む補正データ取得方法。
【発明の詳細な説明】
【技術分野】
【０００１】
本発明は、インクジェット方式の画像形成装置、及び補正データ取得方法に関する。
【背景技術】
【０００２】
インクジェット方式でカラー画像を形成可能なプリンターのような画像形成装置では、色校正が行われることがある。例えば、この種の画像形成装置では、予め定められた色と、当該色の検査用画像の印刷指示に応じて画像形成部によりシートに印刷されて自然乾燥された前記検査用画像の色とに基づいて、色校正が行われる。
【０００３】
また、色校正の処理時間を短縮させるために、前記画像形成部によりシートに印刷されて乾燥機により乾燥された前記検査用画像の色に基づいて色校正を行う画像形成装置が関連技術として知られている（特許文献１参照）。この画像形成装置では、自然乾燥させた場合と乾燥機により乾燥させた場合との間の色のずれを軽減するために、前記画像形成部によりシートに印刷されて乾燥機により乾燥された前記検査用画像から取得される当該検査用画像の色の測定データが予め定められた補正データによって補正される。前記補正データは、自然乾燥された前記検査用画像から取得される当該検査用画像の色の測定データと、乾燥機により乾燥された前記検査用画像から取得される当該検査用画像の色の測定データとに基づいて取得される。
【先行技術文献】
【特許文献】
【０００４】
【特許文献１】特開２０１３−１１１７５９号公報
【発明の概要】
【発明が解決しようとする課題】
【０００５】
ところで、画像形成装置が前記補正データの取得処理を実行する場合、当該取得処理には、前記画像形成部によりシートに印刷された前記検査用画像を自然乾燥させる工程が含まれる。ここで、前記画像形成部によりシートに印刷された前記検査用画像の自然乾燥が当該画像形成装置の機内で行われる場合には、前記取得処理の実行によって発生する当該画像形成装置の利用が制限される期間が長期化する。一方、前記画像形成部によりシートに印刷された前記検査用画像の自然乾燥が当該画像形成装置の機外で行われる場合には、測定データを取得するために機内に再搬送されるシートが取り違えられて適正な補正データを取得できないことがある。
【０００６】
本発明の目的は、色校正に用いられる補正データの取得処理の実行によって発生する自装置の利用が制限される期間を短縮するとともに、不適正な補正データが取得されることを回避可能な画像形成装置、及び補正データ取得方法を提供することにある。
【課題を解決するための手段】
【０００７】
本発明の一の局面に係る画像形成装置は、画像形成部と、測色部と、乾燥機と、画像読取部と、第１取得処理部と、排出処理部と、第２取得処理部と、補正データ取得部とを備える。前記画像形成部は、シートの搬送経路における第１位置で前記シートにインクを用いたカラー画像を形成する。前記測色部は、前記搬送経路における前記第１位置よりも前記シートの搬送方向の下流側の第２位置で前記シートに形成された画像の色を示す数値を測定する。前記乾燥機は、前記搬送経路における前記第１位置から前記第２位置までの特定区間を搬送される前記シートを乾燥させる。前記画像読取部は、前記搬送経路上で前記シートに形成された画像を読み取る。前記第１取得処理部は、前記画像形成部を用いて前記シートに予め定められた目標色の検査用画像を形成する第１工程、前記乾燥機を用いて前記第１工程により形成された画像を乾燥させる第２工程、及び前記測色部を用いて前記第２工程後の前記検査用画像から当該検査用画像の色を示す第１測定データを取得する第３工程を含む第１取得処理を実行する。前記排出処理部は、前記画像形成部を用いて前記シートに前記第１取得処理で形成される前記検査用画像と同じ前記検査用画像及び当該第１取得処理で取得される前記第１測定データに対応付けられる識別画像を形成する第４工程を含み、前記乾燥機を用いて前記第４工程により形成された画像を乾燥させる第５工程を含まない、又は前記第４工程により形成された画像を前記第２工程よりも緩やかに乾燥させる第６工程を更に含む排出処理を実行可能である。前記第２取得処理部は、前記画像読取部によって読み取られる前記シートの画像が前記識別画像を含む場合に、前記測色部により当該シートに含まれる前記検査用画像から測定される当該検査用画像の色を示す数値を第２測定データとして取得する。前記補正データ取得部は、前記第２取得処理部によって取得される前記第２測定データ及び当該第２測定データに対応する前記第１測定データに基づいて、前記第１測定データの補正に用いられる補正データを取得する。
【０００８】
本発明の他の局面に係る補正データ取得方法は、シートの搬送経路における第１位置で前記シートにインクを用いたカラー画像を形成する画像形成部と、前記搬送経路における前記第１位置よりも前記シートの搬送方向の下流側の第２位置で前記シートに形成された画像の色を示す数値を測定する測色部と、前記搬送経路における前記第１位置から前記第２位置までの特定区間を搬送される前記シートを乾燥させる乾燥機と、前記搬送経路上で前記シートに形成された画像を読み取る画像読取部と、を備える画像形成装置で実行され、前記画像形成部を用いて前記シートに予め定められた目標色の検査用画像を形成する第１工程、前記乾燥機を用いて前記第１工程により形成された画像を乾燥させる第２工程、及び前記測色部を用いて前記第２工程後の前記検査用画像から当該検査用画像の色を示す第１測定データを取得する第３工程を含む第１取得処理を実行することと、前記画像形成部を用いて前記シートに前記第１取得処理で形成される前記検査用画像と同じ前記検査用画像及び当該第１取得処理で取得される前記第１測定データに対応付けられる識別画像を形成する第４工程を含み、前記乾燥機を用いて前記第４工程により形成された画像を乾燥させる第５工程を含まない、又は前記第４工程により形成された画像を前記第２工程よりも緩やかに乾燥させる第６工程を更に含む排出処理を実行可能なことと、前記画像読取部によって読み取られる前記シートの画像が前記識別画像を含む場合に、前記測色部により当該シートに含まれる前記検査用画像から測定される当該検査用画像の色を示す数値を第２測定データとして取得することと、取得される前記第２測定データ及び当該第２測定データに対応する前記第１測定データに基づいて、前記第１測定データの補正に用いられる補正データを取得することと、を含む。
【発明の効果】
【０００９】
本発明によれば、色校正に用いられる補正データの取得処理の実行によって発生する自装置の利用が制限される期間を短縮するとともに、不適正な補正データが取得されることを回避可能な画像形成装置、及び補正データ取得方法が実現される。
【図面の簡単な説明】
【００１０】
【図１】図１は、本発明の実施形態に係る画像形成装置の構成を示す図である。
【図２】図２は、本発明の実施形態に係る画像形成装置における画像形成部の構成を示す図である。
【図３】図３は、本発明の実施形態に係る画像形成装置のシステム構成を示すブロック図である。
【図４】図４は、本発明の実施形態に係る画像形成装置で実行される色校正処理の一例を示すフローチャートである。
【図５】図５は、本発明の実施形態に係る画像形成装置で実行される補正データ取得処理の一例を示すフローチャートである。
【図６】図６は、乾燥機を用いて乾燥させた検査用画像から取得される色差と自然乾燥された検査用画像から取得される色差との関係を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
［画像形成装置１０の構成］
まず、図１〜図３を参照しつつ、本発明の実施形態に係る画像形成装置１０の構成について説明する。ここで、図１は画像形成装置１０の構成を示す断面模式図である。また、図２は画像形成部３の構成を示す平面図である。なお、図１では、画像形成装置１０の筐体１１内部におけるシートの搬送経路Ｒ１が二点鎖線によって示されている。
【００１３】
画像形成装置１０は、インクジェット方式で画像を形成可能なプリンターである。なお、本発明は、インクジェット方式で画像を形成可能なファクシミリ装置、コピー機、及び複合機などの画像形成装置に適用されてもよい。
【００１４】
図１及び図３に示されるように、画像形成装置１０は、給紙カセット１、給紙部２、画像形成部３、インクコンテナ部４、搬送ユニット５、排紙部６、測色部７、画像読取部８、制御部９、操作表示部１２、及び記憶部１３を備える。
【００１５】
給紙カセット１には、画像形成装置１０において印刷対象となるシートが収容される。例えば、給紙カセット１に収容されるシートは、紙、コート紙、ハガキ、封筒、及びＯＨＰシートなどのシート材料である。
【００１６】
画像形成装置１０では、給紙カセット１に収容されたシートが、画像形成部３による印刷位置Ｐ１１〜Ｐ１４（本発明における第１位置の一例）を経由する搬送経路Ｒ１（図１参照）に沿って筐体１１内部を搬送されて、排紙部６の排紙トレイ６４に排出される。
【００１７】
給紙部２は、給紙カセット１に収容されているシートを搬送ユニット５に供給する。図１に示されるように、給紙部２は、ピックアップローラー２１、搬送ローラー２２、搬送路２３、手差しトレイ２４、給紙ローラー２５、及びレジストローラー２６を備える。
【００１８】
ピックアップローラー２１は、給紙カセット１からシートを１枚ずつ取り出す。搬送ローラー２２は、ピックアップローラー２１によって取り出されたシートをレジストローラー２６まで搬送する。搬送路２３は、給紙カセット１及び手差しトレイ２４から搬送ユニット５へ至るシートの移動通路である。手差しトレイ２４及び給紙ローラー２５は、外部からシートを供給するために用いられる。
【００１９】
レジストローラー２６は、搬送経路Ｒ１における印刷位置Ｐ１１〜Ｐ１４よりも上流側に設けられる。レジストローラー２６は、予め定められた搬送タイミングが到来するごとに、搬送ユニット５に向けてシートを搬送する。例えば、前記搬送タイミングは、搬送経路Ｒ１におけるレジストローラー２６よりも上流側に設けられた不図示のシートセンサーによってシートの先端が検出された時から予め定められた時間が経過したタイミングである。レジストローラー２６は、不図示のモーターから供給される回転駆動力を受けて回転する。
【００２０】
画像形成部３は，現像剤であるインクを用いて、給紙部２から供給されるシートに画像データに基づくカラー画像を形成する。図１に示されるように、画像形成部３は、ブラック、シアン、マゼンタ、イエローの各色に対応するラインヘッド３１、３２、３３、３４と、これらを支持するヘッドフレーム３５とを備える。ヘッドフレーム３５は画像形成装置１０の筐体１１に支持されている。なお、画像形成部３の備えるラインヘッドの数は、１つであってもよく、４を除く任意の数であってもよい。
【００２１】
ラインヘッド３１〜３４は、所謂ラインヘッド型の記録ヘッドである。即ち、画像形成装置１０は、所謂ラインヘッド型の画像形成装置である。図２に示されるように、ラインヘッド３１〜３４は、幅方向Ｄ２に長尺である。具体的に、ラインヘッド３１〜３４各々は、幅方向Ｄ２において、給紙カセット１に収容可能なシートのうち最大サイズのシートの幅に対応する長さを有する。ラインヘッド３１〜３４各々は、シートの搬送方向Ｄ１（図２参照）に沿って所定間隔を隔てられて、ヘッドフレーム３５に固定されている。搬送経路Ｒ１上におけるラインヘッド３１〜３４各々との対向位置が、画像形成部３による印刷位置Ｐ１１〜Ｐ１４である。
【００２２】
図２に示されるように、ラインヘッド３１〜３４各々は、複数の記録ヘッド３０を有する。記録ヘッド３０は、搬送ユニット５によって搬送されるシートへ向けてインクを吐出する。具体的に、記録ヘッド３０における搬送ユニット５によって搬送されるシートとの対向面には、開口を有するインク吐出用の多数のノズル３０Ａ（図２参照）が設けられている。また、記録ヘッド３０は、ノズル３０Ａ各々に対応する加圧室（不図示）、前記加圧室各々に対応して設けられる圧電素子（不図示）、及び前記加圧室各々と連通する連通流路（不図示）を備える。前記圧電素子は、予め定められた駆動電圧の印加に応じてノズル３０Ａからインクを吐出させる。具体的に、前記圧電素子は、前記加圧室に収容されているインクを加圧することで、ノズル３０Ａからインクを吐出させる。
【００２３】
本実施形態では、ラインヘッド３１は、幅方向Ｄ２に沿って３つの記録ヘッド３０が千鳥状に配列されている。また、他のラインヘッド３２〜３４各々も、ラインヘッド３１と同様に、幅方向Ｄ２に沿って３つの記録ヘッド３０が千鳥状に配列されている。なお、図２には、画像形成部３を図１の上側から見た状態が示されている。
【００２４】
インクコンテナ部４は、ブラック、シアン、マゼンタ、イエローの各色に対応するインクが収容されたインクコンテナ４１、４２、４３、４４を備える。インクコンテナ４１〜４４は、不図示のインク供給部を介して同色のラインヘッド３１〜３４に接続されている。
【００２５】
搬送ユニット５は、搬送経路Ｒ１における印刷位置Ｐ１１〜Ｐ１４でシートを搬送する。具体的に、搬送ユニット５は、図１に示されるように、ラインヘッド３１〜３４の下方に配置されている。搬送ユニット５は、シートを記録ヘッド３０に対向させつつ搬送する。図１に示されるように、搬送ユニット５は、シートが載置される搬送ベルト５１、搬送ベルト５１を張架する張架ローラー５２〜５４、及びこれらを支持する搬送フレーム５５を備える。なお、搬送ベルト５１と記録ヘッド３０との間隙は、例えば、画像形成時のシートの表面と記録ヘッド３０との間隙が１ｍｍとなるように調整される。
【００２６】
張架ローラー５２は、不図示のモーターから供給される回転駆動力により回転駆動される。これにより、搬送ベルト５１は、シートを搬送方向Ｄ１（図１参照）へ搬送可能な方向に回動する。そのため、給紙部２から供給されたシートは、搬送ベルト５１の回動によって印刷位置Ｐ１１〜Ｐ１４（図１参照）を経由して排紙部６へ搬送される。
【００２７】
なお、搬送ユニット５には、シートを搬送ベルト５１に吸着させるべく、搬送ベルト５１に形成された多数の貫通孔から吸気を行う吸引ユニット（不図示）なども設けられている。また、張架ローラー５２の対向位置には、シートを搬送ベルト５１に押しつけて搬送させるための圧ローラー５６が設けられている。
【００２８】
排紙部６は、画像形成部３よりも搬送方向Ｄ１の下流側に設けられている。図１及び図３に示されるように、排紙部６は、乾燥機６１、搬送路６２、搬送ローラー６３、及び排紙トレイ６４を備える。搬送路６２は、搬送ユニット５から排紙トレイ６４へ至るシートの移動通路である。搬送ローラー６３は、シートを排紙トレイ６４へ向けて搬送する。
【００２９】
測色部７は、搬送経路Ｒ１における印刷位置Ｐ１１〜Ｐ１４よりも搬送方向Ｄ１の下流側の測色位置Ｐ３１（図１参照）（本発明における第２位置の一例）でシートに形成された画像の色を示す数値を測定する。図１及び図３に示されるように、測色部７は、分光測色計７１、及び移動機構７２を備える。
【００３０】
図１に示されるように、分光測色計７１は、測色位置Ｐ３１において搬送経路Ｒ１を搬送されるシートに対向して設けられる。分光測色計７１は、測色位置Ｐ３１を通過するシートに形成された画像の色を示す数値を測定することが可能である。例えば、分光測色計７１は、発光部及び受光部を備える。前記発光部は、測色位置Ｐ３１を通過するシートへ向けて光を射出する。前記受光部は、前記発光部から射出されてシートで反射した光を受光する。分光測色計７１は、前記受光部で受光した光の色を示す測定データを出力する。
【００３１】
移動機構７２は、分光測色計７１を幅方向Ｄ２に移動させる。例えば、移動機構７２は、分光測色計７１を幅方向Ｄ２に移動可能に支持するレール、モーター、及び当該モーターで発生する回転駆動力を直線運動力に変換して分光測色計７１に伝達するラックアンドピニオンなどを備える。なお、測色部７は、移動機構７２を備えていなくてもよい。換言すると、分光測色計７１は、幅方向Ｄ２における位置が固定されていてもよい。
【００３２】
乾燥機６１は、搬送経路Ｒ１における印刷位置Ｐ１１〜Ｐ１４から測色位置Ｐ３１までの特定区間を搬送されるシートを乾燥させる。例えば、乾燥機６１は、前記特定区間における乾燥位置Ｐ２１（図１参照）に設けられる。例えば、乾燥機６１は、熱源及びファンを備え、前記ファンを用いて前記熱源で加熱された空気をシートに吹き付ける。なお、乾燥機６１は、前記熱源及び前記ファンのいずれか一方のみを備えていてもよい。
【００３３】
画像読取部８は、搬送経路Ｒ１における印刷位置Ｐ１１〜Ｐ１４よりも搬送方向Ｄ１の上流側の読取位置Ｐ４１（図１参照）でシートに形成された画像を読み取る。図１及び図３に示されるように、画像読取部８は、撮像部８１、及びＡＦＥ（アナログフロントエンド）回路８２を備える。なお、読取位置Ｐ４１は、搬送経路Ｒ１又は手差しトレイ２４から排紙トレイ６４へ至る搬送経路におけるいずれかの位置であればよい。
【００３４】
図１に示されるように、撮像部８１は、読取位置Ｐ４１において搬送経路Ｒ１を搬送されるシートに対向して設けられる。撮像部８１は、読取位置Ｐ４１を通過するシートから、幅方向Ｄ２と同方向の主走査方向に沿った１ライン分の画像データを読み取ることが可能である。例えば、撮像部８１は、発光部及び受光部を備えるＣＩＳ（コンタクトイメージセンサー）などのイメージセンサーである。前記発光部は、読取位置Ｐ４１へ向けて前記主走査方向に沿った１ラインの光を射出する。前記受光部は、前記発光部から射出されて読取位置Ｐ４１を通過するシートで反射された光を受光可能に設けられ、受光量に応じたアナログの電気信号を出力する。
【００３５】
ＡＦＥ回路８２は、撮像部８１の前記受光部から出力されるアナログの電気信号をデジタルの電気信号（画像データ）に変換する電子回路である。例えば、ＡＦＥ回路８２は、撮像部８１の前記受光部から出力された電気信号を、画素の濃度が０から２５５までの２５６階調で表現された画像データに変換する。ＡＦＥ回路８２は、変換後の画像データを制御部９に出力する。
【００３６】
図３に示されるように、制御部９は、ＣＰＵ９Ａ、ＲＯＭ９Ｂ、及びＲＡＭ９Ｃなどの制御機器を備える。ＣＰＵ９Ａは、各種の演算処理を実行するプロセッサーである。ＲＯＭ９Ｂは、ＣＰＵ９Ａに各種の処理を実行させるための制御プログラムなどの情報が予め記憶される不揮発性の記憶装置である。ＲＡＭ９Ｃは、揮発性の記憶装置であって、ＣＰＵ９Ａが実行する各種の処理の一時記憶メモリー（作業領域）として使用される。制御部９では、ＣＰＵ９ＡによりＲＯＭ９Ｂに予め記憶された各種の制御プログラムが実行される。これにより、画像形成装置１０が制御部９により統括的に制御される。なお、制御部９は、集積回路（ＡＳＩＣ）などの電子回路で構成されたものであってもよく、画像形成装置１０を統括的に制御するメイン制御部とは別に設けられた制御部であってもよい。
【００３７】
操作表示部１２は、制御部９からの制御指示に応じて各種の情報を表示する液晶ディスプレーなどの表示部、及びユーザーの操作に応じて制御部９に各種の情報を入力する操作キー又はタッチパネルなどの操作部を有する。
【００３８】
記憶部１３は、不揮発性の記憶装置である。例えば、記憶部１３は、フラッシュメモリー、及びＥＥＰＲＯＭ（登録商標）などの不揮発性メモリ、ＳＳＤ（ソリッドステートドライブ）、並びにＨＤＤ（ハードディスクドライブ）などの記憶装置である。
【００３９】
［色校正について］
次に、従来の画像形成装置で実行される色校正について説明する。
【００４０】
従来の画像形成装置では、例えば、予め定められた目標色と、当該目標色の検査用画像の印刷指示に応じて画像形成部によりシートに印刷されて自然乾燥された前記検査用画像の色とに基づいて、色校正が行われる。例えば、前記検査用画像は、予め定められたサイズの矩形状の画像である。
【００４１】
また、色校正の処理時間を短縮させるために、前記画像形成部によりシートに印刷されて乾燥機により乾燥された前記検査用画像の色に基づいて色校正を行う画像形成装置が関連技術として知られている。
【００４２】
ここで、図６に、前記画像形成部によりシートに印刷された前記検査用画像が前記乾燥機により乾燥された場合、及び自然乾燥された場合のそれぞれにおける当該検査用画像の色の変化の一例を示す。なお、図６における横軸は、前記検査用画像が印刷された時からの経過時間を示している。また、図６における縦軸は、前記目標色とシートに印刷された前記検査用画像の色との間の色差を示している。
【００４３】
図６に示されるように、前記画像形成部によりシートに印刷された前記検査用画像が前記乾燥機により乾燥される場合には、当該検査用画像が自然乾燥される場合と比較して、より短時間（経過時間ｔ１）で当該検査用画像の色と前記目標色との間の色差が収束する。また、図６に示されるように、前記画像形成部によりシートに印刷された前記検査用画像が前記乾燥機により乾燥される場合の当該検査用画像の色と前記目標色との間の色差は、当該検査用画像が自然乾燥される場合とは異なる値に収束する。
【００４４】
上述の関連技術に係る画像形成装置では、図６に示されるような、自然乾燥させた場合と前記乾燥機により乾燥させた場合との間の色のずれ（図６のずれ量Ｘ参照）を軽減するために、前記画像形成部により印刷されて前記乾燥機により乾燥された前記検査用画像から取得される当該検査用画像の色の測定データが予め定められた補正データによって補正される。前記補正データは、自然乾燥された前記検査用画像から取得される当該検査用画像の色の測定データと、乾燥機により乾燥された前記検査用画像から取得される当該検査用画像の色の測定データとに基づいて取得される。
【００４５】
ところで、画像形成装置が前記補正データの取得処理を実行する場合、当該取得処理には、前記画像形成部によりシートに印刷された前記検査用画像を自然乾燥させる工程が含まれる。ここで、前記画像形成部によりシートに印刷された前記検査用画像の自然乾燥が当該画像形成装置の機内で行われる場合には、前記取得処理の実行によって発生する当該画像形成装置の利用が制限される期間が長期化する。一方、前記画像形成部によりシートに印刷された前記検査用画像の自然乾燥が当該画像形成装置の機外で行われる場合には、測定データを取得するために機内に再搬送されるシートが取り違えられて適正な前記補正データを取得できないことがある。
【００４６】
これに対し、本発明の実施形態に係る画像形成装置１０は、以下に説明するように、色校正に用いられる前記補正データの取得処理の実行によって発生する自装置の利用が制限される期間を短縮するとともに、不適正な前記補正データが取得されることを回避することが可能である。
【００４７】
具体的に、画像形成装置１０のＲＯＭ９Ｂには、制御部９のＣＰＵ９Ａに後述の色校正処理（図４のフローチャート参照）を実行させるための色校正プログラムが予め記憶されている。なお、前記色校正プログラムは、ＣＤ、ＤＶＤ、フラッシュメモリーなどのコンピューター読み取り可能な記録媒体に記録されており、前記記録媒体から読み取られて記憶部１３にインストールされてもよい。
【００４８】
そして、制御部９は、図３に示されるように、第１取得処理部９１、排出処理部９２、第２取得処理部９３、補正データ取得部９４、及び格納処理部９５を含む。具体的に、制御部９は、ＣＰＵ９Ａを用いてＲＯＭ９Ｂに記憶されている前記色校正プログラムを実行する。これにより、制御部９は、第１取得処理部９１、排出処理部９２、第２取得処理部９３、補正データ取得部９４、及び格納処理部９５として機能する。
【００４９】
第１取得処理部９１は、以下に説明する第１工程、第２工程、及び第３工程を含む第１取得処理を実行する。
【００５０】
前記第１工程は、画像形成部３を用いてシートに予め定められた複数の前記目標色に対応する複数の前記検査用画像を形成する工程である。
【００５１】
具体的に、前記第１工程では、給紙部２が用いられて、給紙カセット１に収容されているシートが搬送ユニット５に供給される。そして、画像形成部３及び搬送ユニット５が用いられて、搬送ユニット５に供給されたシートに複数の前記目標色に対応する複数の前記検査用画像が形成される。例えば、前記第１工程では、格子状に配置された複数の前記検査用画像がシートに印刷される。なお、前記第１工程でシートに印刷される前記検査用画像の数は、１を含む任意の数であってよい。
【００５２】
前記第２工程は、乾燥機６１を用いて前記第１工程により形成された画像を乾燥させる工程である。
【００５３】
例えば、前記第２工程では、乾燥位置Ｐ２１でシートの搬送が予め定められた乾燥時間の間停止される。そして、乾燥機６１が用いられて、前記乾燥時間の間、乾燥位置Ｐ２１に配置されたシートが乾燥される。即ち、前記乾燥時間の間、乾燥位置Ｐ２１に配置されたシートに乾燥機６１から熱風が吹き付けられる。例えば、前記乾燥時間は、前記第１工程の実行時から、当該第１工程でシートに印刷された前記検査用画像の色と当該検査用画像に対応する前記目標色との間の色差が収束するまでの経過時間（図６のｔ１参照）に基づいて定められる。
【００５４】
なお、前記第２工程では、乾燥位置Ｐ２１を通過する際のシートの搬送速度が予め定められた第１速度に制御されてもよい。例えば、前記第１速度は、画像形成装置１０に入力された画像データに基づく画像を印刷する印刷処理の実行時におけるシートの搬送速度よりも遅い速度である。また、前記第２工程では、乾燥機６１の駆動中にシートが乾燥位置Ｐ２１を複数回通過するように当該シートの搬送が制御されてもよい。具体的に、第１取得処理部９１は、乾燥機６１の駆動中にシートを乾燥位置Ｐ２１の上流側と下流側との間で往復移動させてもよい。
【００５５】
前記第３工程は、測色部７を用いて前記第２工程後の前記検査用画像各々から当該検査用画像の色を示す第１測定データを取得する工程である。
【００５６】
具体的に、前記第３工程では、シートにおいて格子状に印刷された複数の前記検査用画像のうち、幅方向Ｄ２に沿って並ぶ一群の検査用画像が測色位置Ｐ３１に到達するごとに、シートの搬送が停止される。そして、シートの搬送が停止されるごとに、測色部７の分光測色計７１及び移動機構７２が用いられて、当該一群の検査用画像に含まれる個々の前記検査用画像について、当該検査用画像の色を示す前記第１測定データが取得される。その後、シートが排紙トレイ６４に排出される。
【００５７】
第１取得処理部９１は、前記第１取得処理の前記第３工程で取得された複数の前記第１測定データを、当該第１取得処理の識別に用いられる処理識別情報に関連付けて記憶部１３に格納する。前記処理識別情報は、任意に生成された文字列であってもよいし、前記第１取得処理の実行時刻であってもよい。
【００５８】
また、第１取得処理部９１は、前記処理識別情報を、前記第１取得処理の実行時に給紙カセット１に収容されているシートの種類を示す種類情報、及び当該第１取得処理の実行時における環境情報に関連付ける。なお、前記種類情報は、操作表示部１２におけるユーザーの操作によって予め設定される。また、前記環境情報は、前記第１取得処理の実行時刻、並びに当該実行時刻に取得される機内温度、機内湿度、及びインク温度などを含む情報である。
【００５９】
排出処理部９２は、以下に説明する第４工程、及び第７工程を含み、第５工程を含まない排出処理を実行することが可能である。
【００６０】
前記第４工程は、画像形成部３を用いてシートに前記第１取得処理で形成される複数の前記検査用画像と同じ複数の前記検査用画像及び当該第１取得処理で取得される複数の前記第１測定データに対応付けられる識別画像を形成する工程である。
【００６１】
具体的に、前記第４工程では、給紙部２が用いられて、給紙カセット１に収容されているシートが搬送ユニット５に供給される。そして、画像形成部３及び搬送ユニット５が用いられて、搬送ユニット５に供給されたシートに前記第１取得処理で形成される複数の前記検査用画像と同じ複数の前記検査用画像及び前記識別画像が形成される。例えば、前記第４工程では、前記第１工程と同様に、格子状に配置された複数の前記検査用画像がシートに印刷される。また、前記第４工程では、シートにおける複数の前記検査用画像の形成領域外に前記識別画像が印刷される。例えば、前記識別画像は、前記処理識別情報を含む二次元バーコードである。なお、前記識別画像は、前記処理識別情報を示す文字列であってもよい。
【００６２】
前記第５工程は、乾燥機６１を用いて前記第４工程により形成された画像を乾燥させる工程である。
【００６３】
前記排出処理では、シートが前記特定区間を搬送される間、当該シートの搬送速度が前記第１速度よりも早い第２速度に制御されるとともに、乾燥機６１の駆動が停止される。換言すると、前記排出処理では、シートが前記特定区間を搬送される間、当該シートが自然乾燥される。例えば、前記第２速度は、前記印刷処理の実行時におけるシートの搬送速度と同じ速度である。なお、前記特定区間を搬送される間のシートの搬送速度は前記第１速度以下に制御されてもよい。
【００６４】
前記第７工程は、前記第４工程により画像が形成されたシートを排出する工程である。
【００６５】
なお、前記排出処理は、前記第４工程、及び前記第７工程を含み、以下に説明する第６工程を更に含む処理であってもよい。
【００６６】
前記第６工程は、前記第４工程により形成された画像を前記第２工程よりも緩やかに乾燥させる工程である。
【００６７】
例えば、前記第６工程では、シートが前記特定区間を搬送される間、当該シートの搬送速度が前記第２速度に制御されるとともに、乾燥機６１のうち前記ファンのみが駆動される。なお、前記第６工程では、シートに吹き付けられる熱風の風量及び温度のいずれか一方又は両方が前記第２工程よりも低下されてもよい。また、第６工程では、前記特定区間を搬送される間のシートの搬送速度が前記第１速度以下に制御されてもよい。
【００６８】
第２取得処理部９３は、画像読取部８によって読み取られるシートの画像が前記識別画像を含む場合に、測色部７により当該シートに含まれる複数の前記検査用画像各々から測定される当該検査用画像の色を示す数値を第２測定データとして取得する。
【００６９】
なお、第２取得処理部９３は、シートに含まれる前記識別画像に対応する前記種類情報が示すシートの種類に応じて、当該シートの搬送速度を当該シートの種類に対応付けられた速度に制御してもよい。
【００７０】
補正データ取得部９４は、第２取得処理部９３によって取得される前記第２測定データ、及び当該第２測定データに対応する前記第１測定データに基づいて、前記第１測定データの補正に用いられる前記補正データを取得する。
【００７１】
具体的に、補正データ取得部９４は、第２取得処理部９３による前記第２測定データの取得タイミングが当該第２測定データに対応する前記検査用画像の形成時から予め定められた基準時間が経過した基準タイミング以後である場合は、当該取得タイミングで取得された前記第２測定データと当該第２測定データに対応する前記第１測定データとの差を前記補正データとして取得する。例えば、前記基準時間は、前記排出処理の前記第４工程の実行時から、当該第４工程でシートに印刷された前記検査用画像の色と当該検査用画像に対応する予め定められた色との間の色差が収束するまでの経過時間（図６のｔ２参照）に基づいて定められる。
【００７２】
また、補正データ取得部９４は、前記取得タイミングが前記基準タイミングよりも前である場合は、前記基準タイミングよりも前に第２取得処理部９３によって取得された複数の前記第２測定データに基づいて、前記基準タイミング以後に第２取得処理部９３によって取得される前記第２測定データを予測する。そして、当該予測結果と当該予測結果に対応する前記第１測定データとの差を前記補正データとして取得する。例えば、補正データ取得部９４は、前記基準タイミングよりも前に第２取得処理部９３によって取得された複数の前記第２測定データに基づいて、当該複数の第２測定データに近似する多項式を算出する。そして、算出された多項式に基づいて、前記基準タイミング以後に第２取得処理部９３によって取得される前記第２測定データを予測する。
【００７３】
なお、補正データ取得部９４は、前記取得タイミングが前記基準タイミングよりも後である場合にのみ、前記補正データを取得してもよい。
【００７４】
格納処理部９５は、補正データ取得部９４によって取得された前記補正データを前記第１取得処理で用いられたシートの種類に関連付けて記憶部１３に格納する。
【００７５】
具体的に、格納処理部９５は、補正データ取得部９４によって取得された前記補正データを前記種類情報に関連付けて記憶部１３に格納する。
【００７６】
ここで、排出処理部９２は、前記第１取得処理で用いられるシートの種類に関連付けられた前記補正データが記憶部１３に格納されていない場合に、前記第１取得処理の直前に前記排出処理を実行する。換言すると、排出処理部９２は、前記第１取得処理に連続するタイミングであって当該第１取得処理の前に前記排出処理を実行する。
【００７７】
なお、排出処理部９２は、前記第１取得処理で用いられるシートの種類に関連付けられた前記補正データが記憶部１３に格納されていない場合に、前記第１取得処理の直後に前記排出処理を実行してもよい。また、排出処理部９２は、予め定められたユーザー操作に応じて前記排出処理を実行してもよい。また、排出処理部９２は、前記第１取得処理に連続しないタイミングで前記排出処理を実行可能であってもよい。
【００７８】
［色校正処理］
以下、図４を参照しつつ、画像形成装置１０において制御部９により実行される色校正処理の手順の一例について説明する。ここで、ステップＳ１１、Ｓ１２・・・は、制御部９により実行される処理手順（ステップ）の番号を表している。なお、前記色校正処理は、操作表示部１２において前記色校正処理の実行を指示する旨の操作入力が行われた場合に実行される。
【００７９】
＜ステップＳ１１＞
まず、ステップＳ１１において、制御部９は、給紙カセット１に収容されているシートの種類に関連付けられた前記補正データが記憶部１３に格納されているか否かを判断する。
【００８０】
ここで、制御部９は、給紙カセット１に収容されているシートの種類に関連付けられた前記補正データが記憶部１３に格納されていると判断すると（Ｓ１１のＹｅｓ側）、処理をステップＳ１２に移行させる。また、給紙カセット１に収容されているシートの種類に関連付けられた前記補正データが記憶部１３に格納されていなければ（Ｓ１１のＮｏ側）、制御部９は、処理をステップＳ２０に移行させる。
【００８１】
＜ステップＳ１２＞
ステップＳ１２において、制御部９は、前記第１取得処理を実行する。ここで、ステップＳ１２の処理は、制御部９の第１取得処理部９１により実行される。
【００８２】
＜ステップＳ１３＞
ステップＳ１３において、制御部９は、給紙カセット１に収容されているシートの種類に関連付けられた前記補正データに基づいて、ステップＳ１２で取得された前記第１測定データを補正する補正処理を実行する。
【００８３】
＜ステップＳ１４＞
ステップＳ１４において、制御部９は、前記補正処理で補正された前記第１測定データに基づいて色校正を実行する。
【００８４】
＜ステップＳ２０＞
ステップＳ２０において、制御部９は、以下に説明する補正データ取得処理を実行する。
【００８５】
［補正データ取得処理］
次に、図５を参照しつつ、前記色校正処理のステップＳ２０で実行される補正データ取得処理の手順の一例について説明する。
【００８６】
＜ステップＳ２１＞
まず、ステップＳ２１において、制御部９は、前記排出処理を実行する。ここで、ステップＳ２１の処理は、制御部９の排出処理部９２により実行される。
【００８７】
＜ステップＳ２２＞
ステップＳ２２において、制御部９は、前記第１取得処理を実行する。ここで、ステップＳ２２の処理は、制御部９の第１取得処理部９１により実行される。
【００８８】
このように、前記補正データ取得処理では、前記排出処理の後に前記第１取得処理が実行される。即ち、前記排出処理で排出されたシートに形成された前記検査用画像が自然乾燥されるまでの待ち時間を使って、前記第１取得処理が実行される。そのため、前記第１取得処理が前記排出処理の前に実行される構成と比較して、前記補正データの取得にかかる時間を短縮することが可能である。なお、前記補正データ取得処理において、ステップＳ２２の処理の後にステップＳ２１の処理が実行されてもよい。
【００８９】
＜ステップＳ２３＞
ステップＳ２３において、制御部９は、手差しトレイ２４に載置されたシートを筐体１１内を経由して排紙トレイ６４へ搬送するシート搬送処理の実行指示が入力されたか否かを判断する。
【００９０】
ここで、制御部９は、前記シート搬送処理の実行指示が入力されたと判断すると（Ｓ２３のＹｅｓ側）、処理をステップＳ２４に移行させる。また、前記シート搬送処理の実行指示が入力されていなければ（Ｓ２３のＮｏ側）、制御部９は、ステップＳ２３で前記シート搬送処理の実行指示の入力を待ち受ける。
【００９１】
＜ステップＳ２４＞
ステップＳ２４において、制御部９は、前記シート搬送処理を実行する。
【００９２】
＜ステップＳ２５＞
ステップＳ２５において、制御部９は、ステップＳ２４で実行される前記シート搬送処理で搬送されるシートがステップＳ２１の前記第１工程で形成された前記識別画像を含むか否かを判断する。
【００９３】
具体的に、制御部９は、画像読取部８を用いて、前記シート搬送処理で搬送されるシートから当該シートの画像を読み取る。そして、制御部９は、読み取られた画像に基づいて、前記シート搬送処理で搬送されるシートがステップＳ２１の前記第１工程で形成された前記識別画像を含むか否かを判断する。
【００９４】
ここで、制御部９は、前記シート搬送処理で搬送されるシートがステップＳ２１の前記第１工程で形成された前記識別画像を含むと判断すると（Ｓ２５のＹｅｓ側）、処理をステップＳ２６に移行させる。また、前記シート搬送処理で搬送されるシートがステップＳ２１の前記第１工程で形成された前記識別画像を含まなければ（Ｓ２５のＮｏ側）、制御部９は、処理をステップＳ２３に移行させる。
【００９５】
＜ステップＳ２６＞
ステップＳ２６において、制御部９は、測色部７により前記シート搬送処理で搬送されるシートに含まれる複数の前記検査用画像各々から測定される当該検査用画像の色を示す数値を前記第２測定データとして取得する。ここで、ステップＳ２６の処理は、制御部９の第２取得処理部９３により実行される。
【００９６】
＜ステップＳ２７＞
ステップＳ２７において、制御部９は、ステップＳ２６の実行タイミングが、ステップＳ２１の前記第１工程の実行時から前記基準時間が経過した前記基準タイミング以後であるか否かを判断する。
【００９７】
具体的に、制御部９は、ステップＳ２５で読み取られた前記識別画像に含まれる前記処理識別情報に関連付けられた前記環境情報に基づいて、ステップＳ２６の実行タイミングが前記基準タイミング以後であるか否かを判断する。なお、制御部９は、ステップＳ２１の前記第１工程の実行時からの経過時間を計測してもよい。
【００９８】
ここで、制御部９は、ステップＳ２６の実行タイミングが前記基準タイミング以後であると判断すると（Ｓ２７のＹｅｓ側）、処理をステップＳ２７１に移行させる。また、ステップＳ２６の実行タイミングが前記基準タイミング以後でなければ（Ｓ２７のＮｏ側）、制御部９は、処理をステップＳ２８に移行させる。
【００９９】
＜ステップＳ２７１＞
ステップＳ２７１において、制御部９は、ステップＳ２６で取得された前記第２測定データと、ステップＳ２２で取得された当該第２測定データに対応する前記第１測定データとの差を前記補正データとして取得する。ここで、ステップＳ２７１の処理は、制御部９の補正データ取得部９４により実行される。
【０１００】
これにより、時間の経過に伴う色味の変化が収まった前記検査用画像から取得される前記第２計測データに基づいて前記補正データを取得することが可能となる。そのため、自然乾燥させた場合（前記第５工程を経た場合）と乾燥機６１により乾燥させた場合（前記第２工程を経た場合）との間の色のずれを解消可能な前記補正データを取得することが可能である。
【０１０１】
なお、前記補正データ取得処理において、ステップＳ２７、ステップＳ２８、及びステップＳ２９の処理に替えて、ステップＳ２７１の処理が実行されてもよい。
【０１０２】
＜ステップＳ２８＞
ステップＳ２８において、制御部９は、前記基準タイミング以後にステップＳ２６で取得される前記第２測定データを予測可能であるか否かを判断する。例えば、制御部９は、ステップＳ２６の実行回数が予め定められた回数以上である場合に、前記第２測定データを予測可能であると判断する。
【０１０３】
ここで、制御部９は、前記基準タイミング以後にステップＳ２６で取得される前記第２測定データを予測可能であると判断すると（Ｓ２８のＹｅｓ側）、処理をステップＳ２９に移行させる。また、前記基準タイミング以後にステップＳ２６で取得される前記第２測定データを予測可能でなければ（Ｓ２８のＮｏ側）、制御部９は、処理をステップＳ２３に移行させる。
【０１０４】
＜ステップＳ２９＞
ステップＳ２９において、制御部９は、複数回実行されたステップＳ２６で取得された複数の前記第２測定データに基づいて前記基準タイミング以後にステップＳ２６で取得される前記第２測定データを予測し、当該予測結果とステップＳ２２で取得された当該予測結果に対応する前記第１測定データとの差を前記補正データとして取得する。ここで、ステップＳ２９の処理は、制御部９の補正データ取得部９４により実行される。
【０１０５】
これにより、前記補正データの取得タイミングを早めることが可能となる。そのため、新規の種類のシートが用いられて前記色校正処理が実行される場合に、当該色校正処理の処理時間を短縮することが可能である。
【０１０６】
なお、前記補正データ取得処理は、ステップＳ２８及びステップＳ２９の処理を含んでいなくてもよい。この場合、制御部９は、ステップＳ２７でステップＳ２６の実行タイミングが前記基準タイミング以後ではないと判断した場合に、処理をステップＳ２３に移行させればよい。
【０１０７】
＜ステップＳ３０＞
ステップＳ３０において、制御部９は、ステップＳ２７１又はステップＳ２９で取得された前記補正データをステップＳ２２で実行された前記第１取得処理で用いられたシートの種類に関連付けて記憶部１３に格納する。ここで、ステップＳ３０の処理は、制御部９の格納処理部９５により実行される。
【０１０８】
これにより、印刷に用いられるシートの種類ごとに色校正を実行することが可能となり、画像形成装置１０における色再現性を向上させることが可能である。なお、前記補正データ取得処理は、ステップＳ３０の処理を含んでいなくてもよい。この場合、前記色校正処理は、ステップＳ１１、及びステップＳ１２の処理に替えて、ステップＳ２０の処理を実行すればよい。
【０１０９】
また、制御部９は、ステップＳ２７１又はステップＳ２９で取得された前記補正データを前記種類情報及び前記環境情報に関連付けて記憶部１３に格納してもよい。この場合、制御部９は、例えば、機内の温湿度とシートの種類との組み合わせごとに色校正を実行してもよい。
【０１１０】
このように、画像形成装置１０では、画像形成部３を用いてシートに前記目標色の前記検査用画像を形成する前記第１工程、乾燥機６１を用いて前記第１工程により形成された画像を乾燥させる前記第２工程、及び測色部７を用いて前記第２工程後の前記検査用画像から当該検査用画像の色を示す前記第１測定データを取得する前記第３工程を含む前記第１取得処理が実行される。また、画像形成装置１０では、画像形成部３を用いてシートに前記第１取得処理で形成される前記検査用画像と同じ前記検査用画像及び当該第１取得処理で取得される前記第１測定データに対応付けられる前記識別画像を形成する前記第４工程を含み、前記乾燥機を用いて前記第４工程により形成された画像を乾燥させる第５工程を含まない、又は前記第４工程により形成された画像を前記第２工程よりも緩やかに乾燥させる第６工程を更に含む前記排出処理が実行される。そして、画像形成装置１０では、画像読取部８によって読み取られるシートの画像が前記識別画像を含む場合に、測色部７により当該シートに含まれる前記検査用画像から測定される当該検査用画像の色を示す数値が前記第２測定データとして取得され、取得された前記第２測定データ及び当該第２測定データに対応する前記第１測定データに基づいて、前記第１測定データの補正に用いられる前記補正データが取得される。
【０１１１】
即ち、画像形成装置１０では、画像形成部３によりシートに印刷された前記検査用画像の自然乾燥が機外で行われるとともに、機外に排出されるシートに前記識別画像が印刷されることで、測定データを取得するために機内に再搬送されるシートの取り違えが防止される。従って、色校正に用いられる前記補正データの取得処理の実行によって発生する自装置の利用が制限される期間を短縮するとともに、不適正な前記補正データが取得されることを回避することが可能である。
【符号の説明】
【０１１２】
１    給紙カセット
２    給紙部
３    画像形成部
４    インクコンテナ部
５    搬送ユニット
６    排紙部
７    測色部
８    画像読取部
９    制御部
１０  画像形成装置
１１  筐体
１２  操作表示部
１３  記憶部
６１  乾燥機
９１  第１取得処理部
９２  排出処理部
９３  第２取得処理部
９４  補正データ取得部
９５  格納処理部
【図１】
2020192764.tif 000003
【図２】
2020192764.tif 000004
【図３】
2020192764.tif 000005
【図４】
2020192764.tif 000006
【図５】
2020192764.tif 000007
【図６】
2020192764.tif 000008